(57)【特許請求の範囲】
【請求項１】
化学肥料や有機肥料などの肥料を収容するホッパの落下口に臨む位置に、ホッパから下りてくる肥料を散布するためのスパウトを縦軸回り揺動自在に設けた肥料散布機において、上記ホッパ内に上記肥料を攪拌又は混合するための羽根を、上記スパウトと同軸上で回転するように回転自在に設け、上記スパウトに動力を伝達する第１動力伝達系に、上記羽根に動力を伝達するための第２動力伝達系を連結すると共に、該第２動力伝達系の駆動軸を上記ホッパの投入口の上方に配設し、上記スパウトと上記羽根はそれぞれ軸上にシャフトを有し、これらシャフトが互いに回転自在に連結されると共に、上記羽根のシャフトが上記第２動力伝達系の駆動軸に連結されることを特徴とする肥料散布機。
【請求項２】
上記第２動力伝達系は、上記第１動力伝達系からの回転駆動力を受けて駆動される油圧ポンプと、該油圧ポンプに配管を介して接続され油圧ポンプからの油圧を受けて上記羽根を回転させる油圧モータとからなる請求項１記載の肥料散布機。
【請求項３】
上記油圧モータは、上記羽根の上方に設けられて上記羽根に連結される請求項２に記載の肥料散布機。
【発明の詳細な説明】
【０００１】
【発明の属する技術分野】
本発明は、トラクタなどの車両に取り付けられて肥料を散布する肥料散布機に関するものである。
【０００２】
【従来の技術】
図５に示すように、トラクタ６０などの車両に取り付けられる揺動型の肥料散布機６１は、ホッパ６２内の肥料を、縦軸回りに揺動するスパウト６３で散布するようになっている。
【０００３】
ホッパ６２は、ほぼ漏斗状に形成されており、上端に形成された大径の開口６４から化学肥料又は有機肥料などの肥料を投入するようになっている。ホッパ６２内の肥料は、ホッパ６２の下端に形成された小径の開口（図示せず）からスパウト６３に供給されるようになっている。
【０００４】
スパウト６３は、吐出口６５を後方へ向けて縦軸回りに揺動されるようになっており、肥料をトラクタ６０の後方へ散布するようになっている。
【０００５】
【発明が解決しようとする課題】
ところで、ホッパ６２は、肥料をスパウト６３へ案内すべく下方へ向けて窄むように形成されているため、水分の多い有機肥料などホッパ６２内でブリッジしやすい肥料を散布することはできなかった。
【０００６】
他方、スパウト６３に替えて回転する散布羽根（図示せず）をホッパ６２の下方に設けるスピンナタイプの肥料散布機（図示せず）にあっては、散布羽根の軸をホッパ内まで延長して設け、その軸に肥料を攪拌するための攪拌羽根（図示せず）を設けることでホッパ６２内のブリッジを防ぐものもあるが、羽根の回転で肥料を飛ばすため、予め混合しておいた肥料が比重差によって分離してしまうという課題があった。
【０００７】
そこで、本発明の目的は、上記課題を解決し、有機肥料などのブリッジしやすい肥料であっても散布することができる揺動型の肥料散布機を提供することにある。
【０００８】
【課題を解決するための手段】
上記目的を達成するために本発明は、化学肥料や有機肥料などの肥料を収容するホッパの落下口に臨む位置に、ホッパから下りてくる肥料を散布するためのスパウトを縦軸回り揺動自在に設けた肥料散布機において、上記ホッパ内に上記肥料を攪拌又は混合するための羽根を、上記スパウトと同軸上で回転するように回転自在に設け、上記スパウトに動力を伝達する第１動力伝達系に、上記羽根に動力を伝達するための第２動力伝達系を連結すると共に、該第２動力伝達系の駆動軸を上記ホッパの投入口の上方に配設し、上記スパウトと上記羽根はそれぞれ軸上にシャフトを有し、これらシャフトが互いに回転自在に連結されると共に、上記羽根のシャフトが上記第２動力伝達系の駆動軸に連結されるものである。
【００１０】
また、上記第２動力伝達系は、上記第１動力伝達系からの回転駆動力を受けて駆動される油圧ポンプと、該油圧ポンプに配管を介して接続され油圧ポンプからの油圧を受けて上記羽根を回転させる油圧モータとで構成するとよい。
【００１１】
上記油圧モータは、上記羽根の上方に設けられて上記羽根に連結されるようにするとよい。
【００１４】
【発明の実施の形態】
本発明の好適実施の形態を添付図面に基づいて詳述する。
【００１５】
図１に示すように、揺動型肥料散布機１は、化学肥料や有機肥料などの肥料を収容するためのホッパ２と、ホッパ２の落下口３に臨んで設けられホッパ２内から下りてくる肥料を散布するためのスパウト４と、ホッパ２内に回転自在に設けられホッパ２内の肥料を攪拌するための攪拌羽根５と、トラクタ（図示せず）から外部入力される駆動力をスパウト４に伝達するための第１動力伝達系６と、第１動力伝達系６に伝達された駆動力を攪拌羽根５に伝達するための第２動力伝達系７と、トラクタに着脱自在に連結されてホッパ２やスパウト４を支持するフレーム８とからなる。
【００１６】
ホッパ２は、平面視ほぼ円形の漏斗状に形成されており、上端に肥料を投入するための投入口９を有し、下端に肥料を落下させるための落下口３を有する。
【００１７】
ホッパ２の落下口３には、肥料の落下量を調整するためのシャッタ１０と、シャッタ１０近傍のブリッジを防ぐためのアジテータ１１とが設けられている。
【００１８】
図１及び図３に示すように、シャッタ１０は、ホッパ２の落下口３に固定され肥料を落下させるための穴１２を有する底板１３と、底板１３に沿って回動自在に設けられ底板１３の穴を開度調整自在に塞ぐディスク状のシャッタ部材１４と、シャッタ部材１４の位置を固定可能にスライドさせるためのレバー１５とからなる。
【００１９】
底板１３には３つの穴１２がほぼ同一周上に等間隔に形成されており、それぞれシャッタ部材１４で開度調整自在に開閉されるようになっている。
【００２０】
アジテータ１１は、後述するスパウト４の揺動シャフト１７に一体に取り付けられて水平方向三方へ放射状に延びるように形成されており、底板１３の上面に沿ってスパウト４と共に揺動するようになっている。
【００２１】
スパウト４は、ホッパ２の落下口３から落下される肥料を受けて後述する散布管１９に案内するための受部１６と、受部１６から上下方向に延びて受部１６を揺動自在に支持するための揺動シャフト１７と、受部１６に接続されて後方に延び、受部１６から流れ込む肥料を後端に形成された開口１８から飛ばす散布管１９とからなる。
【００２２】
揺動シャフト１７は、スパウト４の揺動中心軸上に位置されている。揺動シャフト１７は、フレーム８に固定された揺動支持ブロック２０に下端を枢支されており、上端をシャッタ１０の底板１３の上方に延出させている。
【００２３】
攪拌羽根５は、ホッパ２内に揺動シャフト１７と同軸上に枢支される回転シャフト２１と、回転シャフト２１に径方向に延びるように設けられる複数の羽根部２２とからなる。
【００２４】
回転シャフト２１は、下端を揺動シャフト１７の上端にブッシュ２３を介して回転自在に連結されており、上端を後述する油圧モータ３４の駆動軸３９にボルト２４を介して一体に連結されており、攪拌羽根５の回転中心軸上に位置されている。
【００２５】
羽根部２２は、回転シャフト２１から径方向外方へ延びるアーム部２５の先端にホッパ２に沿って傾斜する攪拌翼２６を設けてなるものである。
【００２６】
第１動力伝達系６は、フレーム８に固定されトラクタのＰＴＯ軸（図示せず）にユニバーサル駆動軸（図示せず）などを介して着脱自在に連結される動力入力軸２７と、動力入力軸２７に一体に設けられるフライホイール２８と、フライホイール２８に一端を偏心して挿通されると共に揺動シャフト１７に俯仰自在に連結される揺動リンク２９とからなる。
【００２７】
そして、揺動リンク２９は、フライホイール２８が回転されることで揺動シャフト１７を中心に俯仰されながら水平方向に揺動され、フライホイール２８から入力される回転駆動力を揺動駆動力に変えて揺動シャフト１７に伝達するようになっている。
【００２８】
図１及び図２に示すように、フライホイール２８は、外周にベルト３０を掛けるためのリング状の溝３１を有する。
【００２９】
第２動力伝達系７は、第１動力伝達系６からの回転駆動力を受けて駆動される油圧ポンプ３２と、油圧ポンプ３２に配管３３を介して接続され油圧ポンプ３２からの油圧を受けて攪拌羽根５を回転させる油圧モータ３４とからなる。
【００３０】
油圧ポンプ３２は、フレーム８に固定されており、油圧ポンプ３２の被駆動軸３５にはベルト３０を介してフライホイール２８に連結されるプーリ３６が設けられている。
【００３１】
配管３３は、油圧ポンプ３２の吐出口から送り出される油を油圧モータ３４に送る送り側配管３７と、油圧モータ３４から排出される油を油圧ポンプ３２に戻す戻し側配管（図示せず）とからなる。
【００３２】
油圧モータ３４は、支持金具３８を介してホッパ２の投入口９の上方に、攪拌羽根５の回転中心と同心状に設けられており、駆動軸３９を回転シャフト２１に互いに回転しないように連結されている。そして、油圧モータ３４が回転されることで攪拌羽根５も一体に回転されるようになっている。
【００３３】
支持金具３８は、ホッパ２の外周端から中心へ向けて延びる複数のアーム材４０と、ホッパ２の中心部でそれぞれのアーム材４０に支持され油圧モータ３４を固定するための環状のモータ固定板４１とからなる。
【００３４】
次に作用を述べる。
【００３５】
トラクタから伝達される駆動力で動力入力軸２７が回転されると、動力入力軸２７と一体にフライホイール２８が回転される。そして、揺動リンク２９のフライホイール２８側の端が回転され、揺動リンク２９は揺動シャフト１７との連結点を中心に俯仰しながら揺動シャフト１７を中心に揺動され、揺動シャフト１７をおよそ４５度角の範囲で揺動させる。
【００３６】
これにより、スパウト４とアジテータ１１は揺動シャフト１７と一体に揺動される。アジテータ１１は、ホッパ２内の肥料をかき混ぜながら底板１３の穴１２から落下させ、スパウト４は、受部１６に落下された肥料を左右に振りながらトラクタの進行方向後方へ散布する。
【００３７】
また一方、フライホイール２８の回転は、ベルト３０を介してプーリ３６に伝達され、油圧ポンプ３２を駆動させる。油圧ポンプ３２から吐出された油は送り側配管３７を介して油圧モータ３４に送られ、油圧モータ３４を回転駆動させる。
【００３８】
油圧モータ３４から排出された油は、戻し側配管を介して油圧ポンプ３２の吸引側へ戻される。
【００３９】
油圧モータ３４の駆動軸３９に一体に連結された回転シャフト２１は回転され、攪拌羽根５は回転される。
【００４０】
羽根部２２は、攪拌翼２６をホッパ２の内周に沿わせるように回転され、ホッパ２内の肥料を攪拌する。このため、たとえホッパ２内の肥料が有機肥料などのブリッジしやすい肥料であってもブリッジを瞬時に壊すことができ、ホッパ２内に詰まらせることはない。
【００４１】
特に攪拌羽根５は揺動式ではなく、回転式であるため、肥料を連続的に動かすことができ、効率よく攪拌することができる。また、揺動式のように反転時に肥料を無理押しすることもないため、動力伝達系等に無理な力がかかることもなく、動力伝達系等を小型化できる。
【００４２】
このように、化学肥料や有機肥料などの肥料を収容するホッパ２の落下口３にホッパ２から下りてくる肥料を散布するためのスパウト４を縦軸回り揺動自在に設けた肥料散布機１において、ホッパ２内に肥料を攪拌するための攪拌羽根５を回転自在に設けたため、肥料を効率よく攪拌しながら、揺動するスパウト４で良好に散布することができる。
【００４３】
また、スパウト４に動力を伝達する第１動力伝達系６に、攪拌羽根５に動力を伝達するための第２動力伝達系７を連結し、スパウト４と共通の駆動源で攪拌羽根５を回転駆動させるようにしたため、トラクタとの駆動系の接続を１箇所にすることができ、トラクタへの着脱を容易に行える。
【００４４】
そして、攪拌羽根５駆動用の駆動源を新たに用意する必要もないため、低いコストで製造でき、肥料散布機１を安価に提供することができる。
【００４５】
また、第２動力伝達系７を、第１動力伝達系６からの回転駆動力を受けて駆動される油圧ポンプ３２と、油圧ポンプ３２に配管３３を介して接続され油圧ポンプ３２からの油圧を受けて攪拌羽根５を回転させる油圧モータ３４とで構成したため、第２動力伝達系７を簡素化することができ、さらに、油圧モータ３４を攪拌羽根５の上方に設けられて攪拌羽根５に連結されるようにしたため、ホッパ２の周りから歯車やプーリなど機械的に回転する部品を極力減らすことができる。
【００４６】
油圧モータ３４を、攪拌羽根５の上方に設けられて攪拌羽根５に連結されるようにしたため、第２動力伝達系７をさらに簡素化することができ、ホッパ２の周りで機械的に回転する部品を減らすことができる。
【００４７】
また、攪拌羽根５を、スパウト４と同軸上で回転されるようにしたため、ホッパ２内の肥料をバランス良く攪拌することができ、肥料が偏って攪拌されるのを防ぎつつ、スパウト４に肥料を安定して供給することができる。
【００４８】
そして、スパウト４と攪拌羽根５を、それぞれ軸上にシャフト１７，２１を有するものとし、それぞれのシャフト１７，２１を、互いに回転自在に連結したため、攪拌羽根５の回転シャフト２１の支持構造を簡単なものにでき、低いコストで製造することができる。
【００４９】
なお、上述の実施の形態では、フライホイール２８の回転駆動力をベルト３０とプーリ３６で油圧ポンプ３２に伝達するものとしたが、これに限るものではない。
【００５０】
例えば、フライホイール２８の回転駆動力を歯車（図示せず）など他の動力伝達手段を用いて油圧ポンプ３２に伝達してもよい。
【００５１】
また、本実施の形態では、ホッパ２内に攪拌羽根５を回転自在に設けるものとしたが、図４に示すように、攪拌羽根５に替えて肥料を混合するための混合羽根５０を回転自在に設けるものとしてもよい。
【００５２】
この場合、混合羽根５０としてスクリューコンベア５１を用い、ホッパ２内の肥料を強制的にホッパ２底部から上方へ送るようにするとよい。ホッパ２内に肥料の循環流５２を形成することができ、複数種類の肥料を効率よく混合しながら揺動式のスパウト４で良好に散布することができる。
【００５３】
【発明の効果】
以上要するに本発明によれば、次のような優れた効果を奏する。
（１）有機肥料などのブリッジしやすい肥料であっても良好に散布することができる。
【図面の簡単な説明】
【図１】本発明の好適実施の形態を示す揺動型肥料散布機の側断面図である。
【図２】図１のII−II線矢視断面図である。
【図３】図１のIII−III線矢視断面図である。
【図４】他の実施の形態を示す揺動型肥料散布機の側断面図である。
【図５】従来の揺動型散布機の側面図である。
【符号の説明】
１  肥料散布機
２  ホッパ
３  落下口
４  スパウト
５  攪拌羽根（羽根）
６  第１動力伝達系
７  第２動力伝達系
１７  揺動シャフト（シャフト）
２１  回転シャフト（シャフト）
３２  油圧ポンプ
３３  配管
３４  油圧モータ
５０  混合羽根（羽根）
【図１】
0004498586.tif 000002
【図２】
0004498586.tif 000003
【図３】
0004498586.tif 000004
【図４】
0004498586.tif 000005
【図５】
0004498586.tif 000006